(57)【要約】【課題】工区ごとのコンクリート打設量を容易に把握することができるようにする。【解決手段】打設計画支援装置１０は、建造物を構成するコンクリート製の構成要素に係る３次元の形状に関する形状情報を記憶するモデル記憶部１３１と、形状情報に基づいて躯体図を描画する躯体図描画部１１１と、ユーザからの入力に応じて躯体図を複数の領域に分割する躯体図分割部１１２と、領域ごとに、当該領域に少なくとも一部が含まれる構成要素を特定し、特定した構成要素のうち当該領域に含まれる少なくとも一部分を特定し、特定した少なくとも一部分の容積を算出し、算出した容積を合計して、当該領域におけるコンクリートの打設量を算出する打設量算出部１１４と、を備える。【選択図】図１２
2015052912.tif 000002
【特許請求の範囲】
【請求項１】
建造物の建築に係るコンクリート打設の計画を支援する装置であって、
前記建造物を構成するコンクリート製の構成要素に係る３次元の形状に関する形状情報を記憶するモデル記憶部と、
前記形状情報に基づいて躯体図を描画する躯体図描画部と、
ユーザからの入力に応じて前記躯体図を複数の領域に分割する躯体図分割部と、
前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出する打設量算出部と、
を備えることを特徴とするコンクリート打設計画支援装置。
【請求項２】
請求項１に記載のコンクリート打設計画支援装置であって、
前記躯体図分割部は、最初に前記躯体図の全体を１つの前記領域としておき、前記ユーザから１つの前記領域の指定を受け付け、指定された前記領域を２つに分割する直線または曲線の入力を前記ユーザから受け付けて、前記躯体図を前記複数の領域に分割していくこと、
を特徴とするコンクリート打設計画支援装置。
【請求項３】
請求項１または２に記載のコンクリート打設計画支援装置であって、
前記領域ごとに、対応する前記打設量を出力する打設量出力部をさらに備えること、
を特徴とするコンクリート打設計画支援装置。
【請求項４】
請求項１ないし３のいずれか１項に記載のコンクリート打設計画支援装置であって、
前記ユーザからの入力に応じて前記複数の領域をグループ分けするグループ処理部をさらに備え、
前記打設量算出部は、前記グループごとに、当該グループに所属する前記領域のいずれかに少なくとも一部分が含まれる前記構成要素の前記一部分の前記容量を合計して前記打設量を算出すること、
を特徴とするコンクリート打設計画支援装置。
【請求項５】
建造物の建築に係るコンクリート打設の計画を支援する方法であって、
コンピュータが、
前記建造物を構成するコンクリート製の構成要素に係る３次元の形状に関する形状情報を記憶するステップと、
前記形状情報に基づいて躯体図を描画するステップと、
ユーザからの入力に応じて前記躯体図を複数の領域に分割するステップと、
前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出するステップと、
を実行することを特徴とするコンクリート打設計画支援方法。
【請求項６】
建造物の建築に係るコンクリート打設の計画を支援するためのプログラムであって、
コンピュータに、
前記建造物を構成するコンクリート製の構成要素に係る３次元の形状に関する形状情報を記憶するステップと、
前記形状情報に基づいて躯体図を描画するステップと、
ユーザからの入力に応じて前記躯体図を複数の領域に分割するステップと、
前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出するステップと、
を実行させるためのプログラム。
【発明の詳細な説明】
【技術分野】
【０００１】
本発明は、コンクリート打設計画支援装置、コンクリート打設計画支援方法およびプログラムに関する。
【背景技術】
【０００２】
ＢＩＭ（Building Information Modeling）などにより建造物を３次元モデルで管理することが行われている。たとえば特許文献１では３次元ＣＡＤデータから作成された建物データから工程表を作成する手法が開示されている。
【先行技術文献】
【特許文献】
【０００３】
【特許文献１】特開２００５−１８６７３号公報
【発明の概要】
【発明が解決しようとする課題】
【０００４】
ところで、コンクリートの打設計画を策定するにあたり、打設範囲（工区）ごとに打設量を算出する必要がある。しかしながら、特許文献１に記載の手法では、打設量を計算するには各部材のモデルを工区に合う形に分割等しておく必要があり手間がかかる。
【０００５】
本発明は、このような背景を鑑みてなされたものであり、工区ごとのコンクリート打設量を容易に把握することのできる、コンクリート打設計画支援装置、コンクリート打設計画支援方法およびプログラムを提供することを目的とする。
【課題を解決するための手段】
【０００６】
上記課題を解決するための本発明の主たる発明は、建造物の建築に係るコンクリート打設の計画を支援する装置であって、前記建造物を構成するコンクリート製の構成要素に係る３次元の形状に関する形状情報を記憶するモデル記憶部と、前記形状情報に基づいて躯体図を描画する躯体図描画部と、ユーザからの入力に応じて前記躯体図を複数の領域に分割する躯体図分割部と、前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出する打設量算出部と、を備えることとする。
【０００７】
また、本発明のコンクリート打設計画支援装置では、前記躯体図分割部は、最初に前記躯体図の全体を１つの前記領域としておき、前記ユーザから１つの前記領域の指定を受け付け、指定された前記領域を２つに分割する直線または曲線の入力を前記ユーザから受け付けて、前記躯体図を前記複数の領域に分割していくようにしてもよい。
【０００８】
また、本発明のコンクリート打設計画支援装置は、前記領域ごとに、対応する前記打設量を出力する打設量出力部をさらに備えるようにしてもよい。
【０００９】
また、本発明のコンクリート打設計画支援装置は、前記ユーザからの入力に応じて前記複数の領域をグループ分けするグループ処理部をさらに備え、前記打設量算出部は、前記グループごとに、当該グループに所属する前記領域のいずれかに少なくとも一部分が含まれる前記構成要素の前記一部分の前記容量を合計して前記打設量を算出するようにしてもよい。
【００１０】
また、本発明の他の態様は、建造物の建築に係るコンクリート打設の計画を支援する方法であって、コンピュータが、前記建造物を構成するコンクリート製の構成要素に係る３次元の形状に関する形状情報を記憶するステップと、前記形状情報に基づいて躯体図を描画するステップと、ユーザからの入力に応じて前記躯体図を複数の領域に分割するステップと、前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出するステップと、を実行することとする。
【００１１】
また、本発明の他の態様は、建造物の建築に係るコンクリート打設の計画を支援するためのプログラムであって、コンピュータに、前記建造物を構成するコンクリート製の構成要素に係る３次元の形状に関する形状情報を記憶するステップと、前記形状情報に基づいて躯体図を描画するステップと、ユーザからの入力に応じて前記躯体図を複数の領域に分割するステップと、前記領域ごとに、当該領域に少なくとも一部が含まれる前記構成要素を特定し、特定した前記構成要素のうち当該領域に含まれる少なくとも一部分を特定し、特定した前記少なくとも一部分の容積を算出し、算出した前記容積を合計して、当該領域における前記コンクリートの打設量を算出するステップと、を実行させることとする。
【００１２】
その他本願が開示する課題やその解決方法については、発明の実施形態の欄及び図面により明らかにされる。
【発明の効果】
【００１３】
本発明によれば、工区ごとのコンクリート打設量を容易に把握することができる。
【図面の簡単な説明】
【００１４】
【図１】打設計画支援装置１０のハードウェア構成例を示す図である。
【図２】打設計画支援装置１０のソフトウェア構成例を示す図である。
【図３】モデル記憶部１３１の構成例を示す図である。
【図４】図面情報記憶部１３２の構成例を示す図である。
【図５】領域情報記憶部１３３の構成例を示す図である。
【図６】工区情報記憶部１３４の構成例を示す図である。
【図７】打設計画支援装置１０による処理の流れを示す図である。
【図８】躯体図が描画された画面３１の一例を示す図である。
【図９】躯体図分割処理の流れを示す図である。
【図１０】躯体図を分割した状態を説明する図である。
【図１１】工区設定処理の流れを示す図である。
【図１２】工区ごとの領域を選択した状態を説明する図である。
【図１３】コンクリート打設量の計算処理の流れを示す図である。
【図１４】打設量の算出処理を説明するための図である
【図１５】工区ごとの打設量の表示画面７１の一例を示す図である。
【発明を実施するための形態】
【００１５】
以下、本発明の一実施形態に係るコンクリートの打設計画支援装置１０について説明する。本実施形態の打設計画支援装置１０は、建設現場におけるコンクリートの打設計画を支援するものである。
【００１６】
具体的には、ユーザが躯体図（施工図のひとつであり、鉄骨や鉄筋コンクリートなどによる骨組みについて作業するための図面である。）を複数の打設範囲（打設工区。以下、単に工区という。）に分けると、これに応じて本実施形態の打設計画支援装置１０は、工区ごとにコンクリートの打設量を算出する。計画立案者は、算出された打設量を元に、打設可能数量の制限、生コンプラントの製造能力、輸送能力、人員の配置、現場における作業可能時間、圧送車の作業半径（すなわりブームの長さである。）、コールドジョイントなどの制約を考慮して工区分けおよび打設順序の計画を容易に行うことが可能となる。
【００１７】
＝＝ハードウェア構成＝＝
図１は、本実施形態の打設計画支援装置１０のハードウェア構成例を示す図である。打設計画支援装置１０は、ＣＰＵ１０１、メモリ１０２、記憶装置１０３、通信インタフェース１０４、入力装置１０５、出力装置１０６を備える。記憶装置１０３は、各種のデータやプログラムを記憶する、例えばハードディスクドライブやソリッドステートドライブ、フラッシュメモリなどである。通信インタフェース１０４は、通信ネットワーク３０に接続するためのインタフェースであり、例えばイーサネット（登録商標）に接続するためのアダプタ、公衆電話回線網に接続するためのモデム、無線通信を行うための無線通信機、シリアル通信のためのＵＳＢ（Universal Serial Bus）コネクタやＲＳ２３２Ｃコネクタなどである。入力装置１０５は、データを入力する、例えばキーボードやマウス、タッチパネル、ボタン、マイクロフォンなどである。出力装置１０６は、データを出力する、例えばディスプレイやプリンタ、スピーカなどである。
【００１８】
＝＝ソフトウェア構成＝＝
図２は、打設計画支援装置１０のソフトウェア構成例を示す図である。打設計画支援装置１０は、躯体図描画部１１１、躯体図分割部１１２、工区設定部１１３、打設量算出部１１４、打設量出力部１１５、モデル記憶部１３１、図面情報記憶部１３２、領域情報記憶部１３３、工区情報記憶部１３４を備える。
【００１９】
なお、躯体図描画部１１１、躯体図分割部１１２、工区設定部１１３、打設量算出部１１４、打設量出力部１１５は、打設計画支援装置１０が備えるＣＰＵ１０１が記憶装置１０３に記憶されているプログラムをメモリ１０２に読み出して実行することにより実現される。また、モデル記憶部１３１、図面情報記憶部１３２、領域情報記憶部１３３、工区情報記憶部１３４は、打設計画支援装置１０が備えるメモリ１０２および記憶装置１０３が提供する記憶領域の一部として実現される。
【００２０】
モデル記憶部１３１は、ＢＩＭ（Building Information Modeling）により作成されたモデル（以下、ＢＩＭモデルという。）を記憶する。モデル記憶部１３１には、一般的なＢＩＭのデータベースを想定している。図３はモデル記憶部１３１の構成例を示す図である。同図に示すように、モデル記憶部１３１は、建造物を特定する情報（建造物ＩＤ）に対応付けて、建造物の構成要素（基礎、柱、梁、壁、スラブなど）を特定する情報（要素ＩＤ）、当該構成要素の名称、当該構成要素に係る３次元の形状を定義する形状情報、当該構成要素の位置情報、当該構成要素の仕様に関する仕様情報などが記憶される。本実施形態では、説明を簡単にするために、モデル記憶部１３１には、コンクリート製の構成要素についてのＢＩＭモデルのみが記憶されているものとする。
【００２１】
形状情報には、たとえば、矩形断面の柱や壁などの構成要素については長さ、幅、高さなどが含まれ、円形断面の柱などについては半径、高さなどが含まれる。また、壁のように開口が設けられる場合には、開口の位置や大きさなども形状情報に含まれる。形状情報に基づいて構成要素の３次元形状またはこれを２次元に投影した２次元形状の図形を作成することができる。また、形状情報に基づいて構成要素の体積を計算することができる。構成要素の体積の合計が、建造物に必要なコンクリートの打設量の合計となる。
【００２２】
位置情報には、たとえば、建造物の基準点（任意に設定可能であるものとする。）からのオフセット、地面からの高さなどが含まれる。位置情報に基づいて構成要素が建造物中のどこに配置されるかを特定することができる。また、コンクリートの打設は、基礎、柱、１階の床、１階の天井（２階の床）のように、下段から順に行われるところ、本実施形態では、位置情報に含まれる高さに基づいて、コンクリートの打設を行う階層が特定されるものとする。躯体図はコンクリートの打設を行う階層ごとに作成される。
【００２３】
仕様情報には、たとえば、材質（本実施形態ではコンクリートであるものとする。）、数量などが含まれる。
【００２４】
図面情報記憶部１３２は、躯体図の背景を作成するための情報（以下、図面情報という。）を記憶する。図４は、図面情報記憶部１３２の構成例を示す図である。同図に示すように、図面情報記憶部１３２に記憶される図面情報には、建造物ＩＤに対応付けて、躯体図の種類、建造物をの敷地に関する敷地情報、建造物基点などが含まれる。躯体図の種類は、平面図を表す「平面」、斜視図を表す「斜視」などである。本実施形態では、種類には「平面」が設定されることを想定する。敷地情報は、躯体図を描画する際に描画する敷地に関する情報である。敷地情報は、たとえば、敷地の幅、奥行きなどであってもよいし、敷地の形状情報であってもよい。また、敷地情報には、敷地を描画する際の背景となる画像を含めることもできる。建造物基点は、敷地上に建造物を配置するための基準点である。この建造物基点と、ＢＩＭモデルに含まれる位置情報とに基づいて構成要素を躯体図に描画することができる。
【００２５】
躯体図描画部１１１は、躯体図を描画する。躯体図描画部１１１は、敷地情報に基づいて敷地を描画し、ＢＩＭモデル（に含まれる形態情報および位置情報）に基づいて、ＢＩＭによる３次元モデルを２次元に投影した図形を描画することにより躯体図を描画する。
【００２６】
躯体図分割部１１２は、ユーザからの指示に応じて躯体図を複数の領域に分割する。本実施形態では、躯体図分割部１１２は、まず躯体図の全体を１つの領域として設定し、画面の上下端部または左右端部の近傍がクリックされた場合に、クリックされた点を通る垂直または水平の直線により、設定された領域を分割していくことにより、躯体図の領域を設定する。領域は領域情報記憶部１３３に記憶される。
【００２７】
領域情報記憶部１３３は、躯体図上の領域を示す情報（以下、領域情報という。）を記憶する。図５は、領域情報記憶部１３３の構成例を示す図である。同図に示すように、領域情報記憶部１３３に記憶される領域情報には、建造物ＩＤに対応付けて、領域を特定する情報（以下、領域ＩＤという。）と、躯体図の全体または一部の領域の幾何図形を表す幾何データとが含まれる。幾何データは、たとえば座標点、直線、線分、矩形、閉・開経路（パス）、多角形、楕円などの幾何図形を表す情報である。図５の例では矩形（box）を躯体図の座標系における矩形の対角線上両端の２点で表している。なお、幾何データは、複数の幾何図形の組み合わせ（たとえば合成や切り抜きなど）とすることもできる。
【００２８】
工区設定部１１３は、分割された領域を工区にグループ分けする。工区設定部１１３は、ユーザから領域と当該領域が属する工区との入力を受け付け、これに応じて工区ごとに領域をグループ分けする。工区ごとの領域は工区情報記憶部１３４に記憶される。
【００２９】
工区情報記憶部１３４は、工区ごとの領域に関する情報（以下、工区情報という。）を記憶する。図６は、工区情報記憶部１３４の構成例を示す図である。同図に示すように、工区情報記憶部１３４が記憶する工区情報は、建造物ＩＤと工区を示す工区ＩＤとに対応付けて、工区に対応する領域を示す領域ＩＤのリストが含まれる。なお、本実施形態では、工区に対応する領域がない場合には工区情報は登録されないものとする。
【００３０】
打設量算出部１１４は、工区ごとのコンクリートの打設量を算出する。打設量算出部１１４は、形態情報と位置情報とに基づいて、躯体図における一定の領域に各構成要素の少なくとも一部分が含まれるか否かを判定するとともに、当該一部分の容積を計算し、この容積を合計して当該工区におけるコンクリートの打設量を算出する。なお、工区に含まれる構成要素の部分の判定およびその容積の計算には一般的な手法を用いるものとし、ここでは説明を省略する。打設量算出部１１４は、各工区について打設量を算出する。
【００３１】
打設量出力部１１５は、打設量算出部１１４が算出した工区ごとのコンクリートの打設量を出力する。
【００３２】
図７は、本実施形態の打設計画支援装置１０による処理の流れを示す図である。
【００３３】
躯体図描画部１１１は、図面情報記憶部１３２から図面情報を読み出し、読み出した図面情報に基づいて躯体図の背景を描画する（Ｓ２１１）。躯体図描画部１１１は、モデル記憶部１３１からＢＩＭモデルを読み出し、読み出したＢＩＭモデルに含まれる位置情報および形状情報に基づいて、図面情報に含まれる建造物基点を基点として、各構成要素を上記背景上に描画し（Ｓ２１２）、躯体図分割部１１２は、躯体図全体を１つの領域として、当該領域を表す幾何データと、新たに割り当てた領域ＩＤと、建造物ＩＤとを含む領域情報を作成して領域情報記憶部１３３に登録する（Ｓ２１３）。
【００３４】
＝＝処理概要＝＝
図８は、躯体図が描画された画面３１の一例を示す図である。なお、以下の説明では、建造物ＩＤは事前に設定されているものとする。
【００３５】
画面３１は、ディスプレイなどの出力装置１０６に表示される画面である。マウスやタッチパネルなどの入力装置２０５により画面３１がクリックされると（Ｓ２１４：ＹＥＳ）、後述する躯体図分割処理が実行される（Ｓ２１５）。工区の設定指示があった場合（Ｓ２１６：ＹＥＳ）、すなわち画面３１において工区設定ボタン３１５が押下された場合には、後述する工区設定処理が実行される（Ｓ２１７）。打設量を計算するように指示があった場合（Ｓ２１８：ＹＥＳ）、すなわち、画面３１において打設量計算ボタン３１６が押下された場合には、後述するコンクリート打設量の計算処理が実行される（Ｓ２１９）。終了の指示があった場合（Ｓ２２０：ＹＥＳ）、たとえば画面３１が閉じられた場合には、処理を終了し、そうでなければ（Ｓ２２０：ＮＯ）、ステップＳ２１４からの処理を繰り返す。
【００３６】
＝＝分割処理＝＝
図９は躯体図分割処理の流れを示す図である。
【００３７】
躯体図分割部１１２は、画面３１において躯体図４１の上端部３１１または下端部３１２がクリックされた場合には（Ｓ２３１：ＹＥＳ）、クリックされた躯体図４１上の座標点（たとえば躯体図４１の左上隅を基準点（０，０）として右方向および下方向に座標値が増えることを想定する。）を通る垂直（上下方向）の直線を分割直線とする（Ｓ２３２）。たとえば、躯体図４１の全体が１つの領域として設定されていた場合において、図１０に示すように、躯体図４１の上端部３１１がポインタ３２が示す座標でクリックされたときには、直線３２１が分割直線となる。左端部３１３または右端部３１４がクリックされた場合には（Ｓ２３３：ＹＥＳ）、躯体図分割部１１２は、クリックされた躯体図４１上の座標点を通る水平（左右方向）の直線を分割直線とする（Ｓ２３４）。
【００３８】
躯体図分割部１１２は、領域情報記憶部１３３に記憶されている建造物ＩＤに対応した領域情報の幾何データが示す領域（幾何図形）のうち、分割直線と交差するものを読み出し（Ｓ２３５）、読み出した領域情報のそれぞれについて、幾何データが示す幾何図形を分割直線により分割し（Ｓ２３６）、分割した幾何図形を表す幾何データと、新たに割り当てた領域ＩＤと、建造物ＩＤとを含む領域情報を作成する（Ｓ２３７）。躯体図分割部１１２は、ステップＳ２３５で読み出した領域情報を領域情報記憶部１３３から削除し（Ｓ２３８）、ステップＳ２３７で作成した領域情報を領域情報記憶部１３３に登録する（Ｓ２３９）。図１０の例では、分割直線３２１により躯体図４１の全体の領域が２つの領域４１および領域４２に分割され、領域４１および４２についての領域情報が領域情報記憶部１３３に登録されることになる。
【００３９】
＝＝工区設定処理＝＝
図１１は工区設定処理の流れを示す図である。
【００４０】
工区設定部１１３は、まず工区ＩＤを所定のデフォルト値に設定する（Ｓ２５１）。
【００４１】
工区設定部１１３は、工区が入力されたか否かを判定する（Ｓ２５２）。工区設定部１１３は、たとえばキーボードなどの入力装置２０５から工区ＩＤの入力を受け付けることができる。また、工区設定部１１３は、図１２に示すような、工区の設定画面５１に工区ボタン５１１を表示し、工区ボタン５１１が押下されたことより工区ＩＤを受け付けるようにしてもよい。なお、ステップＳ２５１が実行された場合には、工区ＩＤが入力されたと判定するものとする。
【００４２】
工区が入力された場合（Ｓ２５２：ＹＥＳ）、工区設定部１１３は、建造物ＩＤと入力された工区を示す工区ＩＤとに対応する領域ＩＤを工区情報記憶部１３４から読み出して領域リストとする（Ｓ２５３）。工区設定部１１３は、領域リストに含まれる領域ＩＤに対応する領域情報を読み出し（Ｓ２５４）、読み出した領域情報に含まれる幾何データに基づいて、工区ＩＤが示す工区に対応する領域を強調表示する（Ｓ２５５）。図１２の例では、躯体図は６つに分割されており、「１区」の工区に対応する領域として左上の領域４３が強調表示されていることを示している。
【００４３】
工区設定部１１３は、領域の指定がされたか否かを判定する（Ｓ２５６）。領域の指定は、たとえば躯体図上の領域をマウスやタッチパネルなどの入力装置２０５により選択することにより行われる。図１２の例では、工区の設定画面５１において領域４３の内部がクリックされた場合に、領域４３が指定されたと判定される。領域が指定された場合（Ｓ２５６：ＹＥＳ）、工区設定部１１３は、領域リストに選択された領域を示す領域ＩＤを追加し（Ｓ２５７）、建造物ＩＤおよび工区ＩＤに対応する工区情報の領域ＩＤを領域リストに変更するように工区情報記憶部１３４を更新する（Ｓ２５８）。工区設定部１１３は、領域リストに含まれる領域ＩＤに対応する領域情報に含まれる幾何データに基づいて、領域を強調表示する（Ｓ２５９）。
【００４４】
終了の指示があった場合（Ｓ２６０：ＹＥＳ）、たとえば図１２の例において工区の設定画面５１の設定終了ボタン５１２が押下された場合には、工区設定処理を終了し、そうでなければ（Ｓ２６０：ＮＯ）、ステップＳ２５２からの処理を繰り返す。
【００４５】
＝＝打設量計算処理＝＝
図１３は、コンクリート打設量の計算処理の流れを示す図である。打設量算出部１１４は、各工区について以下の処理を行う。
【００４６】
打設量算出部１１４は、建造物ＩＤおよび工区ＩＤに対応する領域ＩＤを工区情報記憶部１３４から読み出し（Ｓ２７１）、読み出した領域ＩＤに対応する領域情報を領域情報記憶部１３３から読み出す（Ｓ２７２）。打設量算出部１１４は、モデル記憶部１３１に記憶されている建造物ＩＤに対応したＢＩＭモデルのうち、読み出した領域情報に含まれる幾何データが示す領域に少なくとも一部が入るものを読み出す（Ｓ２７３）。
【００４７】
打設量算出部１１４は、打設量を０に初期化し（Ｓ２７４）、読み出したＢＩＭモデルのそれぞれについて以下の処理を行う。すなわち、打設量算出部１１４は、ＢＩＭモデルの形状情報および位置情報に基づいて、構成要素の領域からはみ出す部分を削除した形状情報を作成し（Ｓ２７５）、作成した形状情報に基づいて構成要素（領域からはみ出した部分を削除したもの）の容積を計算する（Ｓ２７６）。なお、構成要素が領域からはみ出すか否かは、一般的な手法により計算することが可能であり、ここでは説明を省略する。たとえば図１４に示すように、躯体図４０に基礎６１、柱６２、梁６３などが描画されている場合には、梁６３は領域４３には一部６３１のみが含まれていることから、領域４３からはみ出す部分６３２は削除されたうえで梁６３の容量は計算されることになる。基礎６１および柱６２は領域４３に全部が含まれていることから、ＢＩＭモデルの形状情報に基づいて容積が算出されることになる。打設量算出部１１４は、計算した容積を打設量に加算する（Ｓ２７７）。以上の処理を各ＢＩＭモデルについて繰り返すことにより、工区に対応する領域に含まれる構成要素の容積、すなわち打設量を計算することができる。
【００４８】
以上の処理を各工区について行うことにより、工区ごとの打設量が計算される。打設量出力部１１５は、工区ごとの打設量を出力する（Ｓ２７８）。図１５は工区ごとの打設量の表示画面７１の一例を示す図である。画面７１では６つの工区について打設量が躯体図に重畳表示されている。このような打設量の表示を参考にして、工区を再設定したり、コンクリート打設のスケジュールを決定したりすることができる。
【００４９】
＝＝本発明の効果＝＝
以上説明したように、本実施形態の打設計画支援装置１０によれば、躯体図を分割した領域により工区を設定することが可能となり、工区に含まれる建造物の構成要素の一部または全部の容積を自動的に計算してコンクリートの打設量を計算することができる。これにより、事前にＢＩＭモデルを工区に応じて分割しておくなどの手間を省くことが可能となり、ユーザは工区ごとの打設量を容易に把握することができる。
【００５０】
また、本実施形態の打設計画支援装置１０によれば、躯体図の端部近傍をクリックするだけで躯体図を複数の領域に分割することができる。したがって、簡単な操作で工区を設定することができる。また、この工区に含まれる建造物の構成要素を工区の領域に合わせて自動的に分割し、工区に含まれている部分のみのコンクリート打設量を自動的に算出することができるので、容易にコンクリート打設量を把握することができる。
【００５１】
また、本実施形態の打設計画支援装置１０によれば、躯体図を分割した領域を工区とすることができるので、ＢＩＭモデルは必ずいずれかの工区に含まれることになり、ＢＩＭモデルを取りこぼしなく打設量の計算に用いることができる。したがって、コンクリートの打設量の信頼性を向上することができる。
【００５２】
また、本実施形態の打設計画支援装置１０によれば、躯体図を分割した領域を複数選択して工区とすることができる。したがって、連続していない領域を同時に施工する工区として設定することも可能となる。これにより柔軟な打設計画を許容しつつ、容易に打設量を算出することができる。
【００５３】
なお、本実施形態では、コンクリート製の構成要素についてのＢＩＭモデルのみがモデル記憶部１３１に登録されているものとしたが、もちろんコンクリート製以外の構成要素のＢＩＭモデルが登録されていてもよい。この場合、仕様情報に基づいてコンクリートの打設が行われるか否かを判定し、コンクリートの打設が行われるものについてのみ容積を算出するようにする。
【００５４】
また、本実施形態では、躯体図が表示されるものとしたが、これに限らず、工区を指定できるものであればどのような図面であってもよい。この場合にも、図面における建造物の基準点と図面の基準点（通常左上隅を基準点として右方向および下方向に座標値が増える座標系が用いられるが、たとえば左下隅を基準点として右方向および上方向に座標値が増える座標系であってもよい。）とのオフセットなどに基づいて、少なくとも一部が工区に含まれる構成要素を特定し、その含まれる部分の容積を算出することができる。
【００５５】
また、本実施形態では、躯体図の端部がクリックされたことに応じて水平または垂直の１本の分割線により領域を２つに分割するものとしたが、これに限らず、躯体図の内部がクリックされた場合に、クリックされた座標を通る垂直および水平の２本の分割線を用いて領域を４つに分割するようにしてもよい。
【００５６】
また、本実施形態では、水平または垂直の分割直線により左右または上下に領域を分割するものとしたが、これに限らず、対角線で領域を分割したり、楕円の内部および外部に領域を分割したり、多角形の内部および外部に領域を分割したりしてもよい。
【００５７】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００５８】
１１１  躯体図描画部
１１２  躯体図分割部
１１３  工区設定部
１１４  打設量算出部
１１５  打設量出力部
１３１  モデル記憶部
１３２  図面情報記憶部
１３３  領域情報記憶部
１３４  工区情報記憶部
【図１】
2015052912.tif 000003
【図２】
2015052912.tif 000004
【図３】
2015052912.tif 000005
【図４】
2015052912.tif 000006
【図５】
2015052912.tif 000007
【図６】
2015052912.tif 000008
【図７】
2015052912.tif 000009
【図８】
2015052912.tif 000010
【図９】
2015052912.tif 000011
【図１０】
2015052912.tif 000012
【図１１】
2015052912.tif 000013
【図１２】
2015052912.tif 000014
【図１３】
2015052912.tif 000015
【図１４】
2015052912.tif 000016
【図１５】
2015052912.tif 000017